(57)【特許請求の範囲】
【請求項１】
所定の表示操作部と、
前記表示操作部に対して、貨幣処理に関する所定の操作を受付可能な第２の画面への移行操作ボタンと貨幣の在高情報とを含む第１の画面を表示制御する表示制御部と、
前記表示操作部に対して前記第１の画面を表示した状態で、所定の条件が成立したことを条件として、該第１の画面に含まれる貨幣の在高情報を残しつつ、前記第２の画面への移行操作ボタンを非表示にするとともに、前記移行操作ボタンに対する入力操作を棄却するよう制御する制御部と
を備えたことを特徴とする貨幣処理装置。
【請求項２】
前記貨幣処理に関する所定の操作は、所定の管理者権限を有する管理者に対して許容される貨幣処理に係る操作であることを特徴とする請求項１に記載の貨幣処理装置。
【請求項３】
操作者が所持する記憶媒体に記憶された識別情報を読み取る読取部と、
前記読取部で読み取られた識別情報に基づいて、前記操作者の操作権限を判定する判定部とをさらに備え、
前記所定の条件は、
前記第１の画面の表示後に所定時間の無操作状態が経過し、かつ、前記判定部により前記操作者の操作権限が所定の管理者権限以上と判定されたことであることを特徴とする請求項１又は２に記載の貨幣処理装置。
【請求項４】
前記所定の条件は、前記第１の画面の表示後に所定時間の無操作状態が経過したことであることを特徴とする請求項１又は２のいずれか一つに記載の貨幣処理装置。
【請求項５】
前記所定の条件は、前記第１の画面の表示後に起動されたスクリーンセーバの解除操作の受け付けであることを特徴とする請求項１〜３のいずれか一つに記載の貨幣処理装置。
【請求項６】
少なくとも所定の表示操作部を有する貨幣処理装置における表示制御方法であって、
前記貨幣処理装置が、前記表示操作部に対して、貨幣処理に関する所定の操作を受付可能な第２の画面への移行操作ボタンと貨幣の在高情報とを含む第１の画面を表示制御する第１の表示制御工程と、
前記貨幣処理装置が、前記表示操作部に対して前記第１の画面を表示した状態で、所定の条件が成立したことを条件として、該第１の画面に含まれる貨幣の在高情報を残しつつ、前記第２の画面への移行操作ボタンを非表示にするとともに、前記移行操作ボタンに対する入力操作を棄却するよう制御する制御工程と
を含んだことを特徴とする表示制御方法。
【発明の詳細な説明】
【技術分野】
【０００１】
本発明は、釣銭機等の貨幣処理装置及び表示制御方法に関し、特に、表示操作部に所定の操作者が操作可能な画面を表示する状況において、第三者による不正を防止しつつ操作性の低下を効率良く抑制することができる貨幣処理装置及び表示制御方法に関する。
【背景技術】
【０００２】
従来、スーパーマーケットや百貨店等の商業施設には、商業施設内の各レジに釣銭機と呼ばれる貨幣処理装置が配設されている。この釣銭機は、ＰＯＳ（Point OF Sales）レジスタと接続され、レジ担当者がお客様から受け渡された貨幣を収納するとともに、お客様に返却する釣銭となる貨幣を払い出す装置である。
【０００３】
例えば、特許文献１には、タッチパネル等の表示操作部が設けられ、装置内部に収納された貨幣の処理状況や、装置内部に収納された貨幣の在高を表示操作部に表示する釣銭機が開示されている。
【０００４】
レジ担当者は、この表示操作部を用いて、入金指令、出金指令等を行うことができる。特に、一定の権限を有する管理者については、この表示操作部を用いて、収納部に収納された貨幣の在高情報の表示、収納部に収納された貨幣の回収、収納部への釣銭の補充などの各種処理を行うことができる。
【０００５】
例えば、管理者が収納部に収納された貨幣の在高情報を表示する場合には、管理者が管理モードに移行させた後に、表示操作部上で所定の操作を行って在高画面を表示操作部に表示させる。なお、この在高画面上で「戻る」ボタンが操作され、移行先の画面上でさらに「戻る」ボタンが操作されると、収納部に収納された貨幣の回収等を行える画面に移行する。このため、管理者は、この表示操作部を用いて管理者としての各種操作を連続して行うことができる。
【先行技術文献】
【特許文献】
【０００６】
【特許文献１】特開２０１５−９２３２６号公報
【発明の概要】
【発明が解決しようとする課題】
【０００７】
しかしながら、例えば在高画面を表示操作部に表示した状態で、管理者が釣銭機から離れると、管理者以外の第三者が、収納部に収納された貨幣の回収等を行うことが可能な画面に移行できるため、思わぬ不正を招く可能性がある。
【０００８】
かかる第三者による不正を防止するため、表示操作部に在高画面を表示してから一定時間が経過したならば、初期画面に移行させるよう構成することもできる。ところが、初期画面に移行させることとすると、在高画面を再度視認したい管理者は、あらためて在高画面を表示するための操作を繰り返さなければならず、操作性が低下するという問題がある。
【０００９】
このように、管理者権限を有する者が操作できる画面を表示操作部に表示する場合に、第三者による不正の防止と、管理者の操作性の低下はトレードオフの関係にあるため、いかにして第三者による不正の防止と操作性の低下の抑制を両立させるかが重要な課題となっている。かかる課題は、釣銭機だけではなく、入出金機等の各種貨幣処理装置においても同様に生ずる課題である。
【００１０】
本発明は、上記従来技術の課題を解決するためになされたものであって、表示操作部に所定の操作者が操作可能な画面を表示する状況において、第三者による不正を防止しつつ操作性の低下を効率良く抑制することができる貨幣処理装置及び表示制御方法を提供することを目的とする。
【課題を解決するための手段】
【００１１】
上記の課題を解決するため、本発明は、所定の表示操作部と、前記表示操作部に対して、貨幣処理に関する所定の操作を受付可能な第２の画面への移行操作ボタンと貨幣の在高情報とを含む第１の画面を表示制御する表示制御部と、前記表示操作部に対して前記第１の画面を表示した状態で、所定の条件が成立したことを条件として、該第１の画面に含まれる貨幣の在高情報を残しつつ、前記第２の画面への移行操作ボタンを非表示にするとともに、前記移行操作ボタンに対する入力操作を棄却するよう制御する制御部とを備えたことを特徴とする。
【００１２】
また、本発明は、上記の発明において、前記貨幣処理に関する所定の操作は、所定の管理者権限を有する管理者に対して許容される貨幣処理に係る操作であることを特徴とする。
【００１５】
また、本発明は、上記の発明において、操作者が所持する記憶媒体に記憶された識別情報を読み取る読取部と、前記読取部で読み取られた識別情報に基づいて、前記操作者の操作権限を判定する判定部とをさらに備え、前記所定の条件は、前記第１の画面の表示後に所定時間の無操作状態が経過し、かつ、前記判定部により前記操作者の操作権限が所定の管理者権限以上と判定されたことであることを特徴とする。
【００１６】
また、本発明は、上記の発明において、前記所定の条件は、前記第１の画面の表示後に所定時間の無操作状態が経過したことであることを特徴とする。
【００１７】
また、本発明は、上記の発明において、前記所定の条件は、前記第１の画面の表示後に起動されたスクリーンセーバの解除操作の受け付けであることを特徴とする。
【００１９】
また、本発明は、少なくとも所定の表示操作部を有する貨幣処理装置における表示制御方法であって、前記貨幣処理装置が、前記表示操作部に対して、貨幣処理に関する所定の操作を受付可能な第２の画面への移行操作ボタンと貨幣の在高情報とを含む第１の画面を表示制御する第１の表示制御工程と、前記貨幣処理装置が、前記表示操作部に対して前記第１の画面を表示した状態で、所定の条件が成立したことを条件として、該第１の画面に含まれる貨幣の在高情報を残しつつ、前記第２の画面への移行操作ボタンを非表示にするとともに、前記移行操作ボタンに対する入力操作を棄却するよう制御する制御工程とを含んだことを特徴とする。
【発明の効果】
【００２０】
本発明によれば、表示操作部に所定の操作者が操作可能な画面を表示する状況において、第三者による不正を防止しつつ操作性の低下を効率良く抑制することが可能となる。
【図面の簡単な説明】
【００２１】
【図１】図１は、本実施例に係る釣銭機の特徴を説明するための説明図である。
【図２】図２は、本実施例に係る釣銭機及びＰＯＳレジスタの外観を示す斜視図である。
【図３】図３は、図２に示す釣銭機における紙幣処理ユニットの内部構成を側方から見たときの構成図である。
【図４】図４は、図２に示す釣銭機における硬貨処理ユニットの内部構成を上方から見たときの構成図である。
【図５】図５は、図２に示す釣銭機において包装硬貨収納ユニットの収納ドロアを筐体から引き出したときの構成を上方から見たときの構成図である。
【図６】図６は、図２に示す釣銭機及びＰＯＳレジスタにおける制御系の構成を示す機能ブロック図である。
【図７】図７は、図２に示した表示操作部に表示された初期画面からの画面推移の一例を示す図である。
【図８】図８は、管理者が在高画面を表示する場合の画面遷移の一例を説明するための説明図である。
【図９】図９は、図６に示した上位制御部による表示操作部の表示制御手順を示すフローチャートである。
【発明を実施するための形態】
【実施例】
【００２２】
以下、添付図面を参照して、本実施例に係る貨幣処理装置及び表示制御方法の実施例を説明する。なお、本実施例では、本発明を釣銭機に適用した場合を示すこととする。
【００２３】
＜本実施例に係る釣銭機の特徴について＞
まず、本実施例に係る釣銭機２００の特徴について説明する。図１は、本実施例に係る釣銭機２００の特徴を説明するための説明図である。図１（ａ）に示すように、この釣銭機２００には、ＩＣタグリーダ２０１と、表示操作部２０４とが設けられている。
【００２４】
管理者は、管理者用の権限情報を記憶するＩＣタグを所持しており、このＩＣタグをＩＣタグリーダ２０１に翳すと、表示操作部２０４の表示内容は、後述する初期画面Ｇ１から管理者用画面Ｇ３に移行する。この管理者用画面Ｇ３には、「回収」ボタン、「釣銭機」ボタン、「補充／両替」ボタンという管理者のみが操作できる管理者用ボタンが表示され、表示操作部２０４から管理者としての操作を行うことが可能となる。
【００２５】
例えば、管理者が、釣銭機２００内の在高（あふれ金を含む）を確認したい場合には、「釣銭機」ボタンを押下操作することで、後述する釣銭機画面Ｇ４を表示操作部２０４に表示させ、この釣銭機画面Ｇ４上で「在高確認」ボタンを押下操作することで、在高表示画面Ｇ５を表示操作部２０４に表示させることが可能となる。
【００２６】
管理者は、この在高表示画面Ｇ５を用いて、紙幣収納部から紙幣収納部に移行された「あふれ金」を含む在高を確認することができる。具体的には、この在高表示画面Ｇ５にある「あふれ金」ボタンを押下操作すると、図１（ｂ）に示すあふれ金の金種明細（金種別の枚数）が確認できる画面に移行する。同図に示すように、このあふれ金の金種明細を確認できる画面は、通常の在高確認画面Ｇ５と類似した画面構成となる。管理者は、このあふれ金の金種明細を確認することにより、翌営業日の準備金として不足する金種の枚数を算定することが可能となる。つまり、このあふれ金の一部は翌営業日の準備金として利用され(釣銭収納庫に補充され)、あふれ金の残りは売上金として回収される。なお、あふれ金が紙幣である場合は、紙幣収納部から収納カセット３００に移行され、あふれ金が硬貨である場合は、硬貨収納部から図示されていない硬貨補助収納部に回収される。かかる硬貨補助収納部は、あふれ硬貨を収納する用途に使用されるが、設定によっては硬貨収納部がフル状態になったならば運用を停止することとして、硬貨補助収納部にあふれ硬貨を入れないようにすることもできる。
【００２７】
また、管理者が、引き続き紙幣の回収等を行う場合には、この在高表示画面Ｇ５上で「戻る」ボタンを押下操作して、釣銭機画面Ｇ４を表示操作部２０４に表示させ、この釣銭機画面Ｇ４上で「戻る」ボタンを押下操作することにより、表示操作部２０４に管理者用画面Ｇ３を表示させ、この管理者用画面Ｇ３上で紙幣の回収等の操作を行うことができる。
【００２８】
しかしながら、表示操作部２０４に在高表示画面Ｇ５を表示させた状態で管理者が釣銭機２００から離れると、管理者権限を持たない第三者が不正に上記の操作を行って管理者用画面Ｇ３上で紙幣の回収等の操作を行うことが可能になるという問題がある。
【００２９】
このため、表示操作部２０４に在高表示画面Ｇ５を表示してから一定時間（例えば、３分）の無操作状態が経過すると、表示操作部２０４の表示内容を初期画面Ｇ１に移行させることも考えられる。ところが、初期画面Ｇ１に移行させると、管理者は、再度ＩＣタグをＩＣタグリーダ２０１に翳す操作からやり直さねばならず、操作性の低下を招くという問題が生ずる。
【００３０】
そこで、本実施例では、表示操作部２０４に在高表示画面Ｇ５を表示してから一定時間（例えば、３分）の無操作状態が経過すると、表示操作部２０４の表示内容を在高表示画面Ｇ６に移行させることとしている。この在高表示画面Ｇ６は、在高表示画面Ｇ５と同じ貨幣の在高情報を含むが、「戻る」ボタンが含まれておらず、管理者用画面Ｇ３に移行することができない。また、この在高表示画面Ｇ６は、「終了」ボタンが含まれており、この「終了」ボタンが押下操作されると、表示操作部２０４の表示内容は初期画面Ｇ１に移行する。
【００３１】
このように、この釣銭機２００では、表示操作部２０４に対して在高表示画面Ｇ５を表示した状態で、所定時間の無操作状態が経過すると、該在高表示画面Ｇ５に含まれる貨幣の在高情報を残しつつ、該貨幣処理に関する操作を受付可能な管理者用画面Ｇ３への移行を禁止するよう制御している。このように構成することにより、第三者による不正を防止しつつ操作性の低下を効率良く抑制することが可能となる。
【００３２】
次に、図１に示した釣銭機２００及びこの釣銭機２００と通信可能に接続されるＰＯＳレジスタ２９０の構成について説明する。この釣銭機２００の前面上部には、ＩＣタグリーダ２０１と、表示操作部２０４とが設けられている。その詳細な説明は後述するが、ＩＣタグリーダ２０１は、ＩＣタグのメモリに記憶された権限情報を含むデータを読み取るデバイスである。このＩＣタグは、レジを操作する店員、アルバイト及び管理者の操作者がそれぞれ所持する。このＩＣタグリーダ２０１がＩＣタグのメモリに記憶された権限情報を含むデータを読み取ることで、操作者に応じて操作できる内容が変わる。表示操作部２０４は、初期画面等の各種画面を表示するとともに、入力操作を受け付ける入出力デバイスである。操作者が管理者としての権限情報を有さない場合には、図７に示す初期画面Ｇ１からレジ担当者用Ｇ２に移行し、操作者が管理者としての権限情報を有する場合には、図７に示す初期画面Ｇ１から管理者用画面Ｇ３に移行する。
【００３３】
＜釣銭機２００の構成＞
まず、本実施例に係る釣銭機２００の構成について図２〜図６を用いて説明する。図２等に示すように、この釣銭機２００は、硬貨処理ユニット２５０と、紙幣処理ユニット２１０と、包装硬貨収納ユニット２８０とを有する。硬貨処理ユニット２５０及び包装硬貨収納ユニット２８０は、上下に並ぶよう配置される。また、紙幣処理ユニット２１０は、硬貨処理ユニット２５０や包装硬貨収納ユニット２８０の隣に並ぶよう配置される。紙幣処理ユニット２１０及び硬貨処理ユニット２５０の上方には、ＰＯＳレジスタ２９０が載置される。
【００３４】
紙幣処理ユニット２１０は、紙幣の入出金処理を行い、硬貨処理ユニット２５０は、硬貨の入出金処理を行う。また、包装硬貨収納ユニット２８０は、各金種の包装硬貨を取り出し可能に収納する。ＰＯＳレジスタ２９０は、釣銭機２００の管理を行う管理装置として用いられる。
【００３５】
＜紙幣処理ユニット２１０の構成＞
図２及び図３に示すように、紙幣処理ユニット２１０は、略直方体形状の筐体２１２と、この筐体２１２の前面側に設けられた紙幣受入部２２０と、筐体２１２の前面側において紙幣受入部２２０の下方に設けられた紙幣払出部２２２と、筐体２１２の内部で紙幣を１枚ずつ搬送する搬送部２３０と、筐体２１２の内部で紙幣を収納するとともに収納された紙幣を繰出可能な複数の紙幣収納部２３４、２３６、２３８とを有する。なお、図３において、筐体２１２の右側の側面が紙幣処理ユニット２１０の手前側の面となっており、図３における左向きの方向が紙幣処理ユニット２１０の奥行き方向となっている。
【００３６】
図３に示すように、搬送部２３０は、筐体２１２の中央位置に配置された周回搬送部２３０ａ及び複数の接続搬送部２３０ｂから構成される。また、紙幣受入部２２０、紙幣払出部２２２、出金リジェクト部２２４、収納カセット３００を着脱自在に装着可能なカセット装着部２２６及び３つの紙幣収納部２３４、２３６、２３８が、それぞれ周回搬送部２３０ａを取り囲むよう配置される。
【００３７】
また、図３に示すように、複数の接続搬送部２３０ｂの各々により、紙幣受入部２２０、紙幣払出部２２２、出金リジェクト部２２４、カセット装着部２２６及び３つの紙幣収納部２３４、２３６、２３８の各々と、周回搬送部２３０ａとの間が接続される。また、周回搬送部２３０ａには識別部２３２が設けられており、この識別部２３２は、周回搬送部２３０ａにより搬送される紙幣の金種、真偽、正損、表裏、搬送状態等の識別を行う。
【００３８】
周回搬送部２３０ａは、図３における時計回りの方向及び反時計回りの方向の両方向に紙幣を１枚ずつ搬送する。また、搬送部２３０において、周回搬送部２３０ａと各接続搬送部２３０ｂとの間で紙幣の搬送経路を切り換える経路切換部（図示せず）が、周回搬送部２３０ａに沿って配置される。
【００３９】
図２及び図３に示すように、筐体２１２の前面には、紙幣受入部２２０の紙幣受入口２２０ａと、紙幣払出部２２２の紙幣取出口２２２ａとがそれぞれ設けられる。また、カセット装着部２２６の前面から収納カセット３００を装着することができる。収納カセット３００を装着すると、電磁ロックにより固定される。また、収納カセット３００の取り出し操作が行われると、電磁ロックが解除され、ポップアップ形式で装置前面に少しだけ飛び出す。操作者は、飛び出たカセットを掴んで抜取ることにより、カセット装着部２２６からの収納カセット３００の取り出しが可能となる。
【００４０】
紙幣受入部２２０には紙幣繰出機構２２１が設けられており、紙幣受入口２２０ａに対する紙幣の投入が検知されると、紙幣繰出機構２２１が駆動され、紙幣が接続搬送部２３０ｂを介して周回搬送部２３０ａ側へ１枚ずつ繰り出される。
【００４１】
紙幣払出部２２２は、各紙幣収納部２３４、２３６、２３８から周回搬送部２３０ａに繰り出された紙幣を紙幣取出口２２２ａにより筐体２１２の外部へ放出する。
【００４２】
出金リジェクト部２２４は、出金処理時において各紙幣収納部２３４、２３６、２３８から繰り出された紙幣のうち、重送や斜行等の搬送異常により識別部２３２で識別できない紙幣を出金リジェクト紙幣として収納する。また、紙幣受入部２２０から筐体２１２の内部に取り込まれた紙幣のうち、入金処理時において汚損等により識別部２３２で識別できない紙幣は、入金リジェクト紙幣として紙幣払出部２２２に返却される。
【００４３】
各紙幣収納部２３４、２３６、２３８は、識別部２３２の識別結果に基づいて紙幣を金種別に収納する。これらの紙幣収納部２３４、２３６、２３８には、紙幣処理ユニット２１０に入金された売上金としての紙幣や釣銭として出金されるべき紙幣が収納される。例えば、紙幣収納部２３４には千円札が収納され、紙幣収納部２３６には五千円札が収納され、紙幣収納部２３８には一万円札が収納される。また、各紙幣収納部２３４、２３６、２３８にはそれぞれ紙幣繰出機構２３５、２３７、２３９が設けられており、これらの紙幣収納部２３４、２３６、２３８に収納されている紙幣は、各紙幣繰出機構２３５、２３７、２３９により接続搬送部２３０ｂを介して周回搬送部２３０ａ側へ１枚ずつ繰り出される。
【００４４】
＜収納カセット３００＞
収納カセット３００は、売上金を回収する場合に各紙幣収納部２３４、２３６、２３８の紙幣を収納する。つまり、操作者による回収指示により、紙幣処理ユニット２１０内の売上金が集約される。また、各紙幣収納部２３４、２３６、２３８に収納できなかったあふれ紙幣を収納したり、自動精査時の保留場所としての役割も果たす。
【００４５】
＜硬貨処理ユニット２５０の構成＞
次に、硬貨処理ユニット２５０の構成について説明する。図２及び図４に示すように、硬貨処理ユニット２５０は、略直方体形状の筐体２５１と、筐体２５１の前面側に設けられた硬貨受入部２５２と、筐体２５１の前面側において硬貨受入部２５２の下方に設けられた硬貨払出部２６６と、筐体２５１の内部で硬貨を収納するとともに、収納された硬貨を繰出可能な複数の収納繰出部２６０とを有する。
【００４６】
硬貨受入部２５２は、硬貨投入口を介して受け入れた硬貨を１層１列状態で１枚ずつ筐体２５１内に取り込む。具体的には、硬貨受入部２５２には繰出ベルト等からなる硬貨繰出機構２５３（図６参照）が設けられており、硬貨受入部２５２に受け入れられた硬貨を検知すると、この硬貨繰出機構２５３が駆動され、当該硬貨繰出機構２５３によって硬貨が筐体２５１の内部に１枚ずつ繰り出される。また、図４に示すように、硬貨受入部２５２には、当該硬貨受入部２５２により筐体２５１の内部に繰り出された硬貨を搬送する入金搬送部２５４が接続されている。
【００４７】
図４に示すように、入金搬送部２５４の途中には、硬貨の金種、真偽、正損、表裏、搬送状態等の識別を行う識別部２５６と、分岐部２５８とが設けられている。分岐部２５８は、識別部２５６による硬貨の識別結果に基づいて、硬貨払出部２６６から払い出されるべきリジェクト硬貨等を入金搬送部２５４から分岐させて出金搬送部２６２へ案内する。
【００４８】
一方、筐体２５１内に収納されるべき正常硬貨等は、入金搬送部２５４により各収納繰出部２６０へ搬送される。収納繰出部２６０は、硬貨を金種別に収納するとともに、収納された硬貨を繰出可能となるよう構成される。例えば、日本国で流通している硬貨の６つの金種（５００円硬貨、１００円硬貨、５０円硬貨、１０円硬貨、５円硬貨及び１円硬貨）に対応して６つの収納繰出部２６０が設けられており、入金搬送部２５４の上流側（すなわち、図４における下側）から低額順に各収納繰出部２６０に硬貨が金種毎に収納される。また、収納繰出部２６０には、当該収納繰出部２６０に収納された硬貨を１枚ずつ出金搬送部２６２に繰り出す硬貨繰出機構（図示せず）が設けられる。
【００４９】
出金搬送部２６２は、収納繰出部２６０から繰り出された硬貨を硬貨払出部２６６へ搬送する。また、出金搬送部２６２は、分岐部２５８により入金搬送部２５４から分岐されたリジェクト硬貨等を硬貨払出部２６６へ搬送する。
【００５０】
また、入金搬送部２５４の途中には、あふれ硬貨分岐部が設けられている。あふれ硬貨分岐部は、識別部２５６による硬貨の識別結果が正常硬貨であった場合でも、対応する硬貨収納部２６０がフルの状態である場合に硬貨を硬貨補助収納部２６４に搬送する。このように、硬貨補助収納部２６４は、あふれ硬貨を収納する用途に使用することも可能であるが、設定によっては硬貨収納部２６０がフル状態の場合に運用を停止し、硬貨補助収納部２６４にあふれ硬貨を入れないようにすることもできる。また、この硬貨補助収納部２６４は、自動精査処理でも使用される。
【００５１】
＜包装硬貨収納ユニット２８０の構成＞
次に、包装硬貨収納ユニット２８０の構成について具体的に説明する。図２及び図５に示すように、包装硬貨収納ユニット２８０は、手前側の側面が開口している略直方体形状の筐体２８１と、筐体２８１内に収容可能となっているとともに当該筐体２８１から手前側に引き出し可能な収納ドロア２８２とを有する。収納ドロア２８２には、各金種の包装硬貨が例えば２列で収納される（図５において、収納ドロア２８２に収納された各金種の包装硬貨を斜線で示している）。
【００５２】
ここで、収納ドロア２８２には、包装硬貨を１本ずつ収納する収納部（ポケット）が複数個形成されており、各収納部に収納される包装硬貨の金種毎の収納本数及び位置が予め設定される。具体的には、図５において参照符号Ａで示す領域には８本の１００円の包装硬貨が収納可能であり、参照符号Ｂで示す領域には１本の５００円の包装硬貨が収納可能であり、参照符号Ｃで示す領域には１本の５０円の包装硬貨が収納可能である。
【００５３】
また、図５において参照符号Ｄで示す領域には６本の１０円の包装硬貨が収納可能であり、参照符号Ｅで示す領域には４本の１円の包装硬貨が収納可能であり、参照符号Ｆで示す領域には１本の５円の包装硬貨が収納可能である。
【００５４】
また、図６に示すように、包装硬貨収納ユニット２８０の筐体２８１の内部には、収納ドロア２８２が筐体２８１に完全に収容されたときに当該収納ドロア２８２を筐体２８１内にロックするためのロック機構２８６が設けられる。ここで、ロック機構２８６が収納ドロア２８２を筐体２８１の内部にロックしたならば、この収納ドロア２８２を筐体２８１から手前側に引き出すことができず、これにより収納ドロア２８２から包装硬貨を取り出すことができなくなる。
【００５５】
また、包装硬貨収納ユニット２８０の筐体２８１における前面開口の近傍には、収納ドロア２８２が筐体２８１から手前側に引き出されたり筐体２８１の内部に戻されたりする際に、当該収納ドロア２８２に収納された包装硬貨の金種毎の本数を検知する検知部２８４が設けられる。具体的には、図５等に示すように、検知部２８４は左右一対の光センサ２８４ａ及び筐体２８１からの収納ドロア２８２の引き出し量を検知するロータリエンコーダ２８４ｂを有する。
【００５６】
ここで、各光センサ２８４ａは、発光素子及び受光素子を有しており、発光素子から発せられた光は、包装硬貨収納ユニット２８０の幅方向（図５における左右方向）に延びる光軸を通って受光素子に送られる。そして、収納ドロア２８２が筐体２８１の内部に完全に収容された状態である場合や、当該収納ドロア２８２が筐体２８１から完全に引き出された状態である場合には、各光センサ２８４ａにおいて発光素子から発せられた光は受光素子により受光される。
【００５７】
一方、収納ドロア２８２が筐体２８１から手前側に引き出される場合や、筐体２８１の内部に戻される場合には、発光素子から発せられた光が収納ドロア２８２内に収納された包装硬貨により遮られるため、受光素子に光が届かなくなり、その結果として包装硬貨の孔の有無や直径の大きさが検知される。
【００５８】
このように、収納ドロア２８２において、収納される包装硬貨の金種毎の収納本数及び位置が予め設定されているため、光センサ２８４ａにより検知された包装硬貨の孔の有無や直径の大きさ、並びにロータリエンコーダ２８４ｂにより検知された筐体２８１からの収納ドロア２８２の引き出し量に基づいて、収納ドロア２８２に収納された包装硬貨の金種毎の本数及び各包装硬貨が収納ドロア２８２内の所定の位置に正しく収納されているか否か等が検知される。
【００５９】
なお、本実施例による包装硬貨収納ユニット２８０は、上記の構成に限定されるものではない。他の構成の包装硬貨収納ユニット２８０において、収納ドロア２８２に収納された包装硬貨の金種毎の本数を検知する検知部２８４として、収納ドロア２８２の収納部に収納される包装硬貨の有無及び金種（材質）を検出するセンサを全ての収納部に配置する方式のものを用いることもできる。
【００６０】
＜ＰＯＳレジスタの構成＞
次に、ＰＯＳレジスタ２９０の構成について具体的に説明する。図２及び図６に示すように、ＰＯＳレジスタ２９０は、ＰＯＳ制御部２９１と、ＰＯＳ制御部２９１にそれぞれ接続されたモニタ等の表示部２９３及び操作キー等の操作部２９４とを有する。
【００６１】
操作部２９４は、操作者による操作が可能となっており、ＰＯＳ制御部２９１に対して様々な指令を与えることができる。また、表示部２９３は、紙幣処理ユニット２１０や硬貨処理ユニット２５０における紙幣や硬貨の処理状況や、紙幣処理ユニット２１０や硬貨処理ユニット２５０に収納された紙幣や硬貨の在高等の情報を表示する。また、ＰＯＳレジスタ２９０には、顧客が視認可能な追加の表示部２９３ａが設けられており、様々な情報を表示部２９３に表示させる代わりに、あるいは表示部２９３における表示に加えて、追加の表示部２９３ａにおいて表示が行われるように構成することもできる。
【００６２】
また、ＰＯＳレジスタ２９０には、印字部２９７が設けられる（図６参照、図２では図示せず）。また、印字部２９７は、例えばプリンタから構成され、売上レシートや集計レシートに加えて、紙幣処理ユニット２１０や硬貨処理ユニット２５０に収納されている紙幣や硬貨の在高等の情報をレシートに印字する。
【００６３】
＜釣銭機２００の制御系の構成＞
次に、このような釣銭機２００の制御系の構成について図６を用いて説明する。図６に示すように、硬貨処理ユニット２５０は、上位制御部２０２及び硬貨制御部２５０ａを有しており、これらの上位制御部２０２及び硬貨制御部２５０ａは互いに接続される。
【００６４】
また、紙幣処理ユニット２１０は紙幣制御部２１０ａを有し、この紙幣制御部２１０ａは硬貨処理ユニット２５０の上位制御部２０２に接続される。また、包装硬貨収納ユニット２８０は包装硬貨制御部２８０ａを有し、この包装硬貨制御部２８０ａは硬貨処理ユニット２５０の上位制御部２０２に接続される。また、ＰＯＳレジスタ２９０に設けられたＰＯＳ制御部２９１も硬貨処理ユニット２５０の上位制御部２０２に接続される。また、図示省略したが、ＰＯＳレジスタ２９０のＰＯＳ制御部２９１は店舗サーバ等の上位端末と通信可能に接続される。
【００６５】
図６に示すように、硬貨処理ユニット２５０の上位制御部２０２には、紙幣処理ユニット２１０、包装硬貨収納ユニット２８０及びＰＯＳレジスタ２９０の各々と通信を行うための通信部２０３、表示操作部２０４、ＩＣタグリーダ２０１、出金情報管理部２０６、記憶部２０８及び判定部２０９がそれぞれ接続される。なお、この上位制御部２０２が、請求項１の表示制御部及び制御部に対応する。
【００６６】
上位制御部２０２は、通信部２０３を介して、紙幣処理ユニット２１０の紙幣制御部２１０ａ、包装硬貨収納ユニット２８０の包装硬貨制御部２８０ａ及びＰＯＳレジスタ２９０のＰＯＳ制御部２９１に対して信号の送受信を行う。
【００６７】
また、この上位制御部２０２は、表示操作部２０４の表示制御等も行っており、記憶部２０８に記憶された各種の画面データを操作内容に応じて表示操作部２０４に表示する。例えば、ＩＣタグリーダ２０１にて管理者としての権限情報が読み取られた場合には、管理者に表示すべき画面を表示操作部２０４に表示する。また、上位制御部２０２は、表示操作部２０４上で各種のボタン操作が行われたならば、このボタン操作に対応する画面を表示操作部２０４に表示制御する。
【００６８】
表示操作部２０４は、タッチパネル等の入出力デバイスからなり、硬貨処理ユニット２５０の筐体２５１の上面に設けられる。この表示操作部２０４には、操作者が操作するための操作画面、紙幣処理ユニット２１０、硬貨処理ユニット２５０及び包装硬貨収納ユニット２８０の各々に収納された貨幣の在高に係る情報が表示される。かかる表示操作部２０４において、操作者は、操作画面における操作ボタンに指を触れることによって、上位制御部２０２に様々な指令を入力する。なお、この表示操作部２０４自体はタッチパネル等として周知な技術であり、マトリクス・スイッチ方式、抵抗膜方式、表面弾性波方式等の各種技術を用いることができる。
【００６９】
記憶部２０８は、ハードディスク装置や不揮発性メモリ等の記憶デバイスからなり、紙幣処理ユニット２１０、硬貨処理ユニット２５０及び包装硬貨収納ユニット２８０の各々に収納されている貨幣の在高に係る情報や、釣銭機２００における貨幣の処理履歴等の様々な情報を記憶する。
【００７０】
また、この記憶部２０８には、初期画面Ｇ１、レジ担当者用画面Ｇ２、管理者用画面Ｇ３、釣銭機画面Ｇ４、在高表示画面Ｇ５、在高表示画面Ｇ６等の各種の画面データを記憶する。これらの画面データは、上位制御部２０２により読み出され、表示操作部２０４に表示制御される。
【００７１】
ＩＣタグリーダ２０１は、操作者が所持するＩＣタグが翳された場合に、該ＩＣタグに記憶された権限情報を読み取り、読み取った権限情報を上位制御部２０２に受け渡す。
【００７２】
出金情報管理部２０６は、貨幣入出金機１００から出金された貨幣に関する情報（とりわけ、包装硬貨に関する情報）を管理する。
【００７３】
判定部２０９は、ＩＣタグリーダ２０１により読み出された権限情報が、管理者としての権限情報であるか否かを判定する処理部である。例えば、レジ担当者の権限情報が「０」、レジでの管理者の権限情報が「１」、店長の権限情報が「２」と設定されており、ＩＣタグリーダ２０１により読み出された権限情報が「１」又は「２」である場合には、操作者が管理者であると判定する。その結果、上位制御部２０２は、表示操作部２０４上に初期画面Ｇ１が表示されている場合に、この初期画面Ｇ１を管理者用画面Ｇ３に移行させる。なお、この判定部２０９が、請求項５の判定部に対応する。
【００７４】
また、紙幣処理ユニット２１０の紙幣制御部２１０ａには、通信部２４０、紙幣繰出機構２２１、搬送部２３０、識別部２３２、紙幣繰出機構２３５、２３７、２３９、カセット装着部２２６等が接続される。識別部２３２による紙幣の識別情報等が紙幣制御部２１０ａに送られるとともに、紙幣制御部２１０ａは、紙幣処理ユニット２１０の各構成部位に指令信号を送ることにより、これらの構成部位の制御を行う。また、紙幣制御部２１０ａは、通信部２４０により、硬貨処理ユニット２５０の上位制御部２０２に対して信号の送受信を行う。
【００７５】
また、硬貨処理ユニット２５０の硬貨制御部２５０ａには、硬貨繰出機構２５３、入金搬送部２５４、識別部２５６、分岐部２５８、各収納繰出部２６０及び出金搬送部２６２等が接続される。識別部２５６による硬貨の識別情報が硬貨制御部２５０ａに送られるとともに、硬貨制御部２５０ａは硬貨処理ユニット２５０の各構成部位に指令信号を送ることにより、これらの構成部位の制御を行う。
【００７６】
また、包装硬貨収納ユニット２８０の包装硬貨制御部２８０ａには、通信部２８９、検知部２８４、ロック機構２８６及び記憶部２８８等が接続される。検知部２８４による包装硬貨の検知情報が包装硬貨制御部２８０ａに送られるとともに、包装硬貨制御部２８０ａはロック機構２８６に指令信号を送ることにより当該ロック機構２８６の制御を行う。また、包装硬貨制御部２８０ａは、通信部２８９により、硬貨処理ユニット２５０の上位制御部２０２に対して信号の送受信を行う。また、包装硬貨収納ユニット２８０の収納ドロア２８２に収納されている包装硬貨の在高の情報等が記憶部２８８に記憶される。
【００７７】
＜ＰＯＳレジスタ２９０の制御系の構成＞
また、ＰＯＳレジスタ２９０のＰＯＳ制御部２９１には、表示部２９３、操作部２９４、記憶部２９５、通信部２９２、印字部２９７等がそれぞれ通信可能に接続されており、操作者により操作部２９４に入力された指令が当該操作部２９４からＰＯＳ制御部２９１に送られる。
【００７８】
ＰＯＳ制御部２９１は、表示部２９３に指令を送ることにより、当該表示部２９３に様々な情報を表示させる。なお、ＰＯＳ制御部２９１は、追加の表示部２９３ａに対しても指令を送ることにより、該表示部２９３ａに様々な情報を表示させる。
【００７９】
また、ＰＯＳ制御部２９１は、印字部２９７に指令を送ることにより、当該印字部２９７により様々な情報をレシート等に印字させる。また、ＰＯＳ制御部２９１は、通信部２９２により、硬貨処理ユニット２５０の上位制御部２０２や店舗サーバ等の上位端末（図示せず）に対して信号の送受信を行う。
【００８０】
記憶部２９５には、紙幣処理ユニット２１０や硬貨処理ユニット２５０等から送信された、紙幣処理ユニット２１０や硬貨処理ユニット２５０における硬貨や紙幣の処理状況や、紙幣処理ユニット２１０や硬貨処理ユニット２５０、包装硬貨収納ユニット２８０の内部に収納されている硬貨や紙幣、包装硬貨の在高等の様々な情報が記憶される。
【００８１】
＜画面遷移の一例＞
次に、図２に示した表示操作部２０４に表示された初期画面Ｇ１からの画面推移の一例について説明する。図７は、図２に示した表示操作部２０４に表示された初期画面Ｇ１からの画面推移の一例を示す図である。同図に示すように、初期画面Ｇ１には、紙幣収納部２３４、２３６の各々に収納された紙幣（千円、五千円）の枚数、収納繰出部２６０に収納された硬貨の枚数、収納ドロア２８２に収納された包装硬貨の本数が在高情報として含まれている。ただし、万円札の枚数及びあふれ貨幣の枚数等の在高は、この初期画面Ｇ１には表示されない。このため、管理者があふれ貨幣等を含む在高を確認する場合には、管理者用の在高画面を表示する必要がある。
【００８２】
表示操作部２０４上に初期画面Ｇ１が表示された状態で、レジ担当者が、ＩＣタグリーダ２０１にＩＣタグを翳すことなく所定の操作を行うと、初期画面Ｇ１がレジ担当者用画面Ｇ２に移行する。このレジ担当者用画面Ｇ２では、初期画面と同じ貨幣の在高情報が含まれるとともに、レジ担当者に操作が許容された「自動精査」ボタン、「払い出し」ボタンが含まれる。
【００８３】
これに対して、表示操作部２０４上に初期画面Ｇ１が表示された状態で、管理者が、ＩＣタグリーダ２０１にＩＣタグを翳すと、初期画面Ｇ１が管理者用画面Ｇ３に移行する。この管理者用画面Ｇ３では、初期画面と同じ貨幣の在高情報が含まれるとともに、「自動精査」ボタン、「払い出し」ボタン以外に、管理者に操作が許容された「回収」ボタンＧ３１、「釣銭機」ボタンＧ３２、「補充／両替」ボタンＧ３３が含まれる。
【００８４】
このように、この釣銭機２００では、管理者の権限情報を有する者をＩＣタグにより認証したならば、管理者による操作が可能な管理者用画面Ｇ３を表示操作部２０４に表示する。
【００８５】
次に、管理者が在高画面Ｇ５を表示する場合の画面遷移の一例について説明する。図８は、管理者が在高画面Ｇ５を表示する場合の画面遷移の一例を説明するための説明図である。
【００８６】
同図に示すように、管理者用画面Ｇ３が表示されている状態で、管理者が「釣銭機」ボタンＧ３２を押下操作すると、表示操作画面２０４には、釣銭機画面Ｇ４が表示される。ここで、「戻る」ボタンが押下操作されると、元の管理者用画面Ｇ３に移行する。
【００８７】
一方、この釣銭機画面Ｇ４上で「在高確認」が選択され、「決定」ボタンが押下操作されると、表示操作画面２０４には、在高表示画面Ｇ５が表示される。ここで、「戻る」ボタンが押下操作されると、元の釣銭機画面Ｇ４に移行する。
【００８８】
管理者は、この在高表示画面Ｇ５を参照して、釣銭機２００内の在高を確認することとなるが、一定時間の無操作時間が経過すると、この在高表示画面Ｇ５は、在高表示画面Ｇ６に移行する。この在高表示画面Ｇ６は、在高表示画面Ｇ５と同じ貨幣の在高情報を表示するものであるが、この在高表示画面Ｇ６には「戻る」ボタンは存在せず、「終了」ボタンが存在する。
【００８９】
つまり、在高表示画面Ｇ６が表示されたならば、「終了」ボタンを押下操作して初期画面Ｇ１に移行することができるものの、釣銭機画面Ｇ４に移行することはできない。このため、管理者が表示操作部２０４に在高表示画面Ｇ６を表示した状態で釣銭機２００から離れたとしても、第三者が管理者用画面Ｇ３に移行することができず、その結果として、管理者に認められた操作を第三者が行う事態を防止することができる。
【００９０】
＜上位制御部２０２の表示制御手順＞
次に、図６に示した上位制御部２０２による表示操作部２０４の表示制御手順について説明する。図９は、図６に示した上位制御部２０２による表示操作部２０４の表示制御手順を示すフローチャートである。ここでは、すでに表示操作部２０２に在高確認画面Ｇ５が表示されているものとする。
【００９１】
図９に示すように、「戻る」ボタンが含まれる在高確認画面Ｇ５が表示操作部２０４に表示されている状況において（ステップＳ１０１）、一定時間（例えば、３分）の無操作状態が経過しなければ（ステップＳ１０２；Ｎｏ）、「戻る」ボタンが操作されたか否かを確認する（ステップＳ１０３）。
【００９２】
そして、「戻る」ボタンが操作されなければ（ステップＳ１０３；Ｎｏ）、ステップＳ１０１に移行して、「戻る」ボタンが含まれる在高確認画面Ｇ５が表示操作部２０４に表示される。一方、「戻る」ボタンが操作されたならば（ステップＳ１０３；Ｙｅs）、表示操作部２０４に釣銭機画面Ｇ４を表示する（ステップＳ１０４）。
【００９３】
また、「戻る」ボタンを含む在高確認画面Ｇ５が表示操作部２０４に表示されている状況において（ステップＳ１０１）、一定時間（例えば、３分）の無操作状態が経過したならば（ステップＳ１０２；Ｙｅｓ）、「終了」ボタンを含む在高確認画面Ｇ６を表示操作部２０４に表示する（ステップＳ１０５）。
【００９４】
その後、この在高確認画面Ｇ６の「終了」ボタンが押下操作されたならば（ステップＳ１０６；Ｙｅｓ）、初期画面Ｇ１を表示操作部２０４に表示する（ステップＳ１０７）。
【００９５】
上述してきたように、本実施例では、「戻る」ボタンを含む在高確認画面Ｇ５を表示操作部２０４に表示した状態で、一定時間（例えば、３分）の無操作状態が経過したならば、在高確認画面Ｇ５と同じ貨幣の在高情報と「終了」ボタンを含み、「戻る」ボタンを含まない在高確認画面Ｇ６を表示操作部２０４に表示し、貨幣処理に関する所定の操作を受付可能な管理者用画面Ｇ３への移行を禁止するよう構成したので、第三者による不正を防止しつつ操作性の低下を効率良く抑制することができる。
【００９６】
また、この在高確認画面Ｇ５上で貨幣処理に関する所定の操作を行えるボタン（例えば、「回収」ボタン）が含まれている場合には、かかるボタンを含まない在高確認画面Ｇ６を表示操作部２０４に表示することで、貨幣処理に関する所定の操作を禁止することもできる。
【００９７】
また、本実施例では、本発明を在高確認画面Ｇ５に適用した場合ついて説明したが、本発明はこれに限定されるものではなく、在高確認画面Ｇ５以外の他の画面についても同様に適用することができる。例えば、図１（ｂ）に示したあふれ金の金種明細（金種別の枚数）が確認できる画面に本発明を適用し、上記の在高確認画面Ｇ５から在高確認画面Ｇ６への移行と同様に構成することもできる。
【００９８】
なお、上記の実施例では、初期画面Ｇ１、管理者用画面Ｇ３、釣銭機画面Ｇ４、在高表示画面Ｇ５と画面移行させ、管理者用画面Ｇ３において管理者が貨幣処理に関する操作を行うための管理者用ボタンを設けた場合を示したが、本発明はこれに限定されるものではない。例えば、在高表示画面Ｇ５において、管理者が貨幣処理に関する操作を行うための管理者用ボタンを設け、この在高表示画面Ｇ５を表示した状態で、一定時間の無操作状態が経過すると、該在高表示画面Ｇ５に含まれる貨幣の在高情報を残しつつ、該貨幣処理に関する操作を受付可能な管理者用ボタンが存在しない在高表示画面Ｇ６に移行させることもできる。
【００９９】
また、上記の実施例では、一定時間（例えば、３分）の無操作状態が経過したことを条件として、「戻る」ボタンを含む在高確認画面Ｇ５を「終了」ボタンを含む在高確認画面Ｇ６に移行させることとしたが、本発明はこれに限定されるものではなく、他の条件が成立したことを契機として在高確認画面Ｇ５を在高確認画面Ｇ６に移行させるよう構成することもできる。また、監視カメラなどや釣銭機２００又はＰＯＳレジスタ２９０に設けられた人感センサの検知結果に基づいて、在高表示画面Ｇ５から在高表示画面Ｇ６に移行させるようにしてもよい。
【０１００】
例えば、「戻る」ボタンを含む在高確認画面Ｇ５を表示操作部２０４に表示した状態で一定時間の無操作状態が経過したならば、スクリーンセーバを起動させ、このスクリーンセーバの解除操作がなされたことを条件として、「終了」ボタンを含む在高確認画面Ｇ６を表示操作部２０４に表示させるよう制御することもできる。
【０１０１】
また、「戻る」ボタンを含む在高確認画面Ｇ５を表示操作部２０４に表示した状態で所定のロック操作（例えば、在高確認画面Ｇ５に設けられた「ロック」ボタンの押下操作）がなされたことを条件として、「終了」ボタンを含む在高確認画面Ｇ６を表示操作部２０４に表示させるよう制御することもできる。
【０１０２】
また、上記の実施例では、例えば表示操作部２０４に表示する在高確認画面Ｇ５に「戻る」ボタンが含まれる場合を示したが、在高確認画面Ｇ５と操作画面を別々の画面とすることもできる。このようにすれば、在高確認画面Ｇ５の表示内容を変えることなく、「戻る」ボタンを含む操作画面を「終了」ボタンを含む操作画面に移行させればよい。また、「終了」ボタンが表示されている状態でＩＣタグの認証を行い、このＩＣタグの認証の結果、権限が管理者権限又は前回操作者と同一人物である場合は、「終了」ボタンが「戻る」ボタンになるようにしてもよい。
【０１０３】
また、上記の実施例では、管理者が所持するＩＣタグを用いて管理者権限を認証することとしたが、本発明はこれに限定されるものではなく、管理者が所持する鍵を用いて権限情報を認証する場合に適用することもできる。さらに、ＰＯＳレジスタ２９０には、レジ担当者、管理者が所持するＩＤカードを読み取るリーダライタが設けられる場合が多いため、このＰＯＳレジスタ２９０により読み取られたＩＤカードの情報に基づいて権限情報を認証する場合に適用することもできる。
【０１０４】
なお、本実施例では、本発明を釣銭機に適用した場合を示したが、本発明はこれに限定されるものではなく、出納機などの表示操作部を有する各種の貨幣処理装置に適用することができる。
【産業上の利用可能性】
【０１０５】
本発明の貨幣処理装置及び表示制御方法は、表示操作部に所定の操作者が操作可能な画面を表示する状況において、第三者による不正を防止しつつ操作性の低下を効率良く抑制する場合に有用である。
【符号の説明】
【０１０６】
Ｇ１    初期画面
Ｇ２    レジ担当者用画面
Ｇ３    管理者用画面
Ｇ４    釣銭機画面
Ｇ５    在高情報画面（「戻る」ボタンを含む）
Ｇ６    在高情報画面（「終了」ボタンを含む）
２００    釣銭機
２０１    ＩＣタグリーダ
２０２    上位制御部
２０３    通信部
２０４    表示操作部
２０６    出金情報管理部
２０８    記憶部
２０９    判定部
２１０    紙幣処理ユニット
２１０ａ  紙幣制御部
２１２    筐体
２２０    紙幣受入部
２２０ａ  紙幣受入口
２２１    紙幣繰出機構
２２２    紙幣払出部
２２２ａ  紙幣取出口
２２４    出金リジェクト部
２２６    カセット装着部
２３０    搬送部
２３０ａ  周回搬送部
２３０ｂ  接続搬送部
２３２    識別部
２３４、２３６、２３８  紙幣収納部
２３５、２３７、２３９  紙幣繰出機構
２４０    通信部
２５０    硬貨処理ユニット
２５０ａ  硬貨制御部
２５１    筐体
２５２    硬貨受入部
２５３    硬貨繰出機構
２５４    入金搬送部
２５６    識別部
２５８    分岐部
２６０    収納繰出部
２６２    出金搬送部
２６４    硬貨補助収納部
２６６    硬貨払出部
２８０    包装硬貨収納ユニット
２８０ａ  包装硬貨制御部
２８１    筐体
２８２    収納ドロア
２８４    検知部
２８４ａ  光センサ
２８４ｂ  ロータリエンコーダ
２８６    ロック機構
２８８    記憶部
２８９    通信部
２９０    ＰＯＳレジスタ
２９１    ＰＯＳ制御部
２９２    通信部
２９３    表示部
２９３ａ  追加の表示部
２９４    操作部
２９５    記憶部
２９７    印字部
３００    収納カセット
【図１】
0006706089.tif 000002
【図２】
0006706089.tif 000003
【図３】
0006706089.tif 000004
【図４】
0006706089.tif 000005
【図５】
0006706089.tif 000006
【図６】
0006706089.tif 000007
【図７】
0006706089.tif 000008
【図８】
0006706089.tif 000009
【図９】
0006706089.tif 000010